(57)【要約】【課題】所定のすきまを確保しつつ、水圧の変動が生じても、漏水が生じなく、またハンドルレバーの操作性が低下しない。【解決手段】ハウジング底部に設けられたパッキンガイド８にパッキン７を介して固定され、上記パッキンガイドの流路に連通する弁孔を備えた固定弁体６と、この固定弁体に摺動自在に重ね合わされ、上記弁孔に連通する連通室を備えた可動弁体５との相互変位により止水または流量調節を行なう弁装置において、パッキンガイド８とともに固定弁体６側にもパッキン７を収容するパッキン溝が設けられ、該パッキン溝内にパッキンが収容されてなる。【選択図】図１
2006189165.tif 000002
【特許請求の範囲】
【請求項１】
ハウジング底部に設けられたパッキンガイドにパッキンを介して固定され、前記パッキンガイドの流路に連通する弁孔を備えた固定弁体と、この固定弁体に摺動自在に重ね合わされ、前記弁孔に連通する連通室を備えた可動弁体との相互変位により止水または流量調節を行なう弁装置において、前記パッキンガイドとともに前記固定弁体側にも前記パッキンを収容するパッキン溝が設けられ、該パッキン溝内にパッキンが収容されてなることを特徴とする弁装置。
【請求項２】
弁装置の可動弁体に係合するハンドルレバーの操作により、止水または流量調節を行なうシングルレバー混合水栓において、前記弁装置が請求項１記載の弁装置であることを特徴とするシングルレバー混合水栓。
【発明の詳細な説明】
【技術分野】
【０００１】
本発明は弁装置およびこの弁装置を用いたシングルレバー混合水栓に関する。
【背景技術】
【０００２】
単一のレバーを上下および左右に回動することによって閉栓および開栓するシングルレバー混合水栓は、最近その利便性からキッチンや洗面台等に多用されている。家庭用水道に用いられるシングルレバー混合水栓を図３により説明する。図３は 3孔式混合水栓用弁装置の断面図を示す。弁装置１は、ハウジング４内に固定弁体６と可動弁体５とが設けられ、係合するハンドルレバー９により可動弁体５が自在に摺動される。ハンドルレバー９はレバー２により固定され、その動きを可動弁体５に伝える。３はレバーホルダーである。固定弁体６の底面はパッキン７を介してパッキンガイド８に固定されている。固定弁体６には湯流入孔６ａ、水流入孔６ｂおよび吐出孔６ｃが穿孔され、パッキンガイド８に穿孔された各流路８ａ、８ｂおよび８ｃとにそれぞれ連通している。流路８ａ、８ｂより流入した湯および水は、湯流入孔６ａ、水流入孔６ｂを経て可動弁体５の混合室５ａにおいて混合されて吐出孔６ｃ、流路８ｃを経て、図示を省略した蛇口より吐出する。
【０００３】
パッキン部分の構造としては、水栓本体の流路の接続口部と固定ディスク板の流路の接続口部とを凹凸嵌合させ、凸状の接続口部の外周面と凹状の接続口部の内周面とに間にパッキンを設ける構造（特許文献１）、シールリング収納部のシール面がディスク弁体の環状シール壁面とディスク保持部の環状シール壁面とで形成され、シールリングが両壁面に当接し、シールリング収納部が水圧を受ける側から水圧を受けない側に向かって先すぼみ形状になっているシール構造（特許文献２）がある。
しかし、前者は凹凸嵌合部分の周面間にパッキンを配設しているため、固定ディスク板に十分な大きさの弁孔を形成しようとすると、固定ディスク板自体を大きくせざるを得ず、一方、固定ディスク板を小型化しようとすると、弁孔を小さくせざるを得なくなる。また、後者はシールリング収納部がディスク弁体に環状に設けられているため、前者同様小型化が困難である。
【０００４】
このため、弁装置は、より小型化が図れるパッキン部分の構造（図３の楕円部分Ｍ）として図４に示すものが用いられている。図４は、図３におけるパッキン構造の部分拡大断面図である。パッキン７はパッキンガイド８に設けられたパッキン溝１０に収容され、固定弁体６が圧着されている。固定弁体６とパッキンガイド８との間にはパッキン７の突出によりすきまＡが形成されている。このすきまＡは、ハンドルレバー９による円滑な操作を維持するために必要であり、すきまＡがなくなると、ハウジング４内において内部の部品が相互干渉を起こしてしまいハンドルレバー９の操作が不能になる場合がある。
【０００５】
しかしながら、図４に示すパッキン構造は、単純な構造で小型化が可能となるが、水圧の変動により次のような問題が生じる。図４において、図面右方向から水圧Ｐが負荷されたときの状態を図５に示す。図５は、パッキン７の変形状態を示す図である。水圧Ｐが負荷されると、パッキン７はパッキン溝１０からはみ出そうとする現象が生じる（図５（ａ））。弁装置１の個々の部品寸法バラツキによりすきまＡがより大きくなると、パッキン７のはみ出し量はより多くなり（図５（ｂ））、パッキン７に傷を負わせたり、長期間の負荷でパッキン７が変形したりして、止水性能が失われてしまう場合がある。さらに、不均一にはみ出し、変形が生じると固定弁体６を正常な位置に保持することができなくなり、ハンドルレバー９の操作性が低下する。
【特許文献１】実用新案登録第２５３４６２１号公報
【特許文献２】特開平８−２１５４３号公報
【発明の開示】
【発明が解決しようとする課題】
【０００６】
本発明はこのような問題に対処するためになされたもので、所定のすきまを確保しつつ、水圧の変動が生じても、漏水が生じなく、またハンドルレバーの操作性が低下しない弁装置およびこの弁装置を用いたシングルレバー混合水栓を提供することを目的とする。
【課題を解決するための手段】
【０００７】
本発明の弁装置は、ハウジング底部に設けられたパッキンガイドにパッキンを介して固定され、上記パッキンガイドの流路に連通する弁孔を備えた固定弁体と、この固定弁体に摺動自在に重ね合わされ、上記弁孔に連通する連通室を備えた可動弁体との相互変位により止水または流量調節を行なう弁装置において、上記パッキンガイドとともに上記固定弁体側にも上記パッキンを収容するパッキン溝が設けられ、該パッキン溝内にパッキンが収容されてなることを特徴とする。
また、本発明のシングルレバー混合水栓は、上記弁装置を用いることを特徴とする。
【発明の効果】
【０００８】
パッキンガイドとともに固定弁体側にもパッキンを収容するパッキン溝が設けられ、該パッキン溝内にパッキンが収容されることにより、パッキンをサンドイッチ状態に固定できる。そのため、漏水が生じない。
【発明を実施するための最良の形態】
【０００９】
弁装置の一例を図１により説明する。図１はシングルレバー混合水栓に用いられている弁装置の断面図である。
弁装置１は、ハウジング４内に固定弁体６と可動弁体５とが設けられ、係合するハンドルレバー９により可動弁体５が自在に摺動される。ハンドルレバー９はレバー２により固定され、その動きを可動弁体５に伝える。３はレバーホルダーである。ハウジング４の底部に設けられたパッキンガイド８にパッキン７を介して固定弁体６が固定されている。この固定弁体６に摺動自在に可動弁体５が重ね合わされている。可動弁体５には連通室を構成する混合室５ａが設けられ、固定弁体６には、弁孔を構成する湯流入孔６ａ、水流入孔６ｂおよび吐出孔６ｃが穿孔され、これらがパッキンガイド８に穿孔された湯用の流路８ａ、水用の流路８ｂおよび混合水用の流路８ｃとにそれぞれ連通している。流路８ａ、８ｂより流入した湯および水は可動弁体５の混合室５ａにおいて混合されて混合水用の流路８ｃより図示を省略した蛇口を経て吐出する。止水または流量調節は、固定弁体６および可動弁体５を相互に変位させることにより、混合室５ａおよび各弁孔の相対位置を変えることによりなされる。
【００１０】
パッキンガイド８と固定弁体６とのパッキン構造（図１の楕円部分Ｍ）の一例を図２に示す。図２はパッキン溝１０をパッキンガイド８側とともに固定弁体６側にもパッキン溝１０を設けたパッキン構造の部分拡大断面図である。
パッキン７はパッキンガイド８側とともに固定弁体６側にサンドイッチ状態にすきまＡを設けて固定されている（図２（ａ））。
図面右方向から水圧Ｐが負荷されたときの状態が図２（ｂ）であり、水圧Ｐが負荷されるとはみ出し現象が生じる。また、すきまＡがより大きく、すきまＢになると、パッキン７のはみ出し量はより多くなる（図２（ｃ））。
しかし、図２（ｂ）および（ｃ）の場合でも、パッキン７がサンドイッチ状態に固定されているので、図５に示す従来例に比較して、漏水が生じない。
【００１１】
本発明のシングルレバー混合水栓は、上記弁装置を組み込んで得られる。上記弁装置を用いるので、水圧の変動が生じても、漏水が生じない。
【図面の簡単な説明】
【００１２】
【図１】弁装置の断面図である。
【図２】パッキンガイドと固定弁体とにパッキン溝を設けた例を示す図である。
【図３】3孔式混合水栓用弁装置の断面図である。
【図４】図３におけるパッキン構造の部分拡大断面図である。
【図５】図４において水圧が負荷されたときの状態を示す図である。
【符号の説明】
【００１３】
１  弁装置
２  レバー
３  レバーホルダー
４  ハウジング
５  可動弁体
６  固定弁体
７  パッキン
８  パッキンガイド
９  ハンドルレバー
１０  パッキン溝
【図１】
2006189165.tif 000003
【図２】
2006189165.tif 000004
【図３】
2006189165.tif 000005
【図４】
2006189165.tif 000006
【図５】
2006189165.tif 000007